(57)【特許請求の範囲】
【請求項１】
同一形状の第１シート及び第２シートを少なくとも含む卓上型カレンダーであって、
前記第１シート及び前記第２シートの各々は、対向する第１端縁及び第２端縁に跨る分離領域によって分離された第１の領域及び第２の領域を備え、
前記第１シートにあっては、該第１領域から該第２領域の各々に連続する２ヶ月の日程を表示する表示部が形成されると共に、該第１端縁から該分離領域に向かって切込みが形成され、
前記第２シートにあっては、該第１領域から該第２領域の各々に前記第１シートに形成された２ヶ月に連続する２ヶ月の日程を表示する表示部が形成されると共に、前記第１シートの該切込みの該第２端縁までの該分離領域における延長線に相当する切込みが、前記第２シートの該第２端縁から該分離領域に向かって形成され、
当該月に応じて、前記第１シートと前記第２シートとを重ね合わせた第１の平面状態と、前記第１シートと前記第２シートとを各々の切り込みを介して係合させた第２の平面状態とを切り替える、卓上型カレンダー。
【請求項２】
前記第１シート及び前記第２シートは矩形形状を有し、
前記切込みの各々は、対応する辺の中央部から前記分離領域の各々の中央位置まで形成される、請求項１記載の卓上型カレンダー。
【請求項３】
前記卓上カレンダーは３枚の前記第１シートと３枚の第２シートからなり、
前記第１シートの各々の一方面には、１月及び２月、５月及び６月並びに９月及び１０月の日程がそれぞれ表示され、
前記第２シートの各々の一方面には、３月及び４月、７月及び８月並びに１１月及び１２月の日程がそれぞれ表示される、請求項２記載の卓上型カレンダー。
【請求項４】
前記卓上カレンダーは２枚の前記第１シートと１枚の前記第２シートとからなり、
前記第１シートの各々の一方面には、１月及び２月並びに５月及び６月の日程がそれぞれ表示され、
前記第２シートの一方面には、３月及び４月の日程が表示され、
１月及び２月が表示された前記第１シートの他方面には、７月及び８月の日程が該切込みに対して１月及び２月とは反転するように表示され、
５月及び６月が表示された前記第１シートの他方面には、１１月及び１２月の日程が該切込みに対して５月及び６月とは反転するように表示され、
３月及び４月が表示された前記第２シートの他方面には、９月及び１０月の日程が該切込みに対して３月及び４月とは反転するように表示される、請求項２記載の卓上型カレンダー。
【発明の詳細な説明】
【０００１】
【発明の属する技術分野】
この発明はカレンダーに関し、特に机上に立て掛けて使用するコンパクトな卓上型カレンダーに関するものである。
【０００２】
【従来の技術】
図７は従来の卓上型カレンダーの正面図であり、図８はこの卓上型カレンダーの使用状態を説明するための側面図である。
【０００３】
これらの図を参照して、卓上型カレンダー６１は一ヶ月毎の日程が表示されたシート６３が月数分だけ用意され、これらを重ね合わせた状態でプラスチック製の収納ケース２７に収納されている。具体的にはシート６３には、その月の日程が表示されている当月表示部６５と、当月表示部６５の右上に翌月の日程が小さく表示される翌月表示部６６とが記載されている。収納ケース２７の裏面には図７に示されているように脚部６８が取付けられ、この状態で卓上型カレンダー６１を机面７０上に立て掛けて使用する。
【０００４】
当月表示部６５はシート６３に対して大きなスペースを取っており、各日にち毎の予定等を書き込んだりすることが可能である。そしてその月が終了すると、図７に示すようにその月のシート６３ａを上方にずらして取外し、翌月のシート６３ｂが現れるようにして同様に予定を書き込んだりして使用する。取外したシート６３ａは重ね合わされたシート６３の最後尾に差込むようにするのが一般的である。
【０００５】
尚、この従来例では各月毎にシート６３を１枚ずつ用意しているが、シート６３の両面に２ヶ月分の日程を記載して全体の枚数を減らすようにして使用するものも存在している。
【０００６】
【発明が解決しようとする課題】
上記のような従来の卓上型カレンダーでは、翌月の日程は翌月表示部６６で確認できるものの、予定等を書き込んで使用するような場合使い勝手が良いとは言えなかった。すなわち、書き込みできるのは当月分だけであるので、翌月の予定が発生した場合、その月の日程を表示するシートをわざわざ取出して記入する必要がある。又、記入した後そのシートを元の位置に戻すため、予定の確認は結局当月分しかできない。
【０００７】
この対策として、２ヶ月分の日程を１枚のシートの一方面に形成するカレンダーが考えられるが、後の月の時期になってしまうと、次の月の日程がやはり確認できず、結局不便さは完全に解消しない。
【０００８】
この発明は上記のような課題を解決するためになされたもので、どの月の状態になっても常に翌月の日程がその月の日程と同様に表示される卓上型カレンダーを提供することを目的とする。
【０００９】
【課題を解決するための手段】
上記の目的を達成するために、請求項１記載の発明は、同一形状の第１シート及び第２シートを少なくとも含む卓上型カレンダーであって、第１シート及び第２シートの各々は、対向する第１端縁及び第２端縁に跨る分離領域によって分離された第１領域及び第２領域を備え、第１シートにあっては、該第１領域から該第２領域の各々に、連続する２ヶ月の日程を表示する表示部が形成されると共に、該第１端縁から該分離領域に向かって切込みが形成され、第２シートにあっては、該第１領域から該第２領域の各々に第１シートに形成された２ヶ月に連続する２ヶ月の日程を表示する表示部が形成されると共に、第１シートの該切込みの該第２端縁までの該分離領域における延長線に相当する切込みが、第２シートの該第２端縁から該分離領域に向かって形成され、当該月に応じて、第１シートと第２シートとを重ね合わせた第１の平面状態と、第１シートと第２シートとを各々の切り込みを介して係合させた第２の平面状態とを切り替えるものである。
【００１０】
このように構成すると、第１シートの切込みと第２シートの切込みとを交差させるようにして、第１シートと第２シートとを合体させて第２の平面状態とすると、第１シートの第２領域と第２シートの第１領域とが１枚のシート状に現れる。
【００１１】
請求項２記載の発明は、請求項１記載の発明の構成において、第１シート及び第２シートは矩形形状を有し、切込みの各々は、対応する辺の中央部から分離領域の各々の中央位置まで形成されるものである。
【００１２】
このように構成すると、第１シートと第２シートとの合体状態が安定する。
【００１３】
請求項３記載の発明は、請求項２記載の発明の構成において、卓上型カレンダーは３枚の第１シートと３枚の第２シートとからなり、第１シートの各々の一方面には、１月及び２月、５月及び６月並びに９月及び１０月の日程がそれぞれ表示され、第２シートの各々の一方面には、３月及び４月、７月及び８月並びに１１月及び１２月の日程がそれぞれ表示されるものである。
【００１４】
このように構成すると、一方面にのみ日程が表示されていたカレンダーに必要なシート枚数が１２枚から６枚に低減する。
【００１５】
請求項４記載の発明は、請求項２記載の発明の構成において、卓上型カレンダーは２枚の第１シートと１枚の第２シートとからなり、第１シートの各々の一方面には、１月及び２月並びに５月及び６月の日程がそれぞれ表示され、第２シートの一方面には、３月及び４月の日程が表示され、１月及び２月が表示された第１シートの他方面には、７月及び８月の日程が該切込みに対して１月及び２月とは反転するように表示され、５月及び６月が表示された第１シートの他方面には、１１月及び１２月の日程が該切込みに対して５月及び６月とは反転するように表示され、３月及び４月が表示された第２シートの他方面には、９月及び１０月の日程が該切込みに対して３月及び４月とは反転するように表示されたものである。
【００１６】
このように構成すると、両面に日程が表示されていたカレンダーに必要なシート枚数が６枚から３枚に低減する。
【００１７】
【発明の効果】
以上説明したように、請求項１記載の発明は、第１シートと第２シートとを合体させて第２の平面状態とすると第１シートの第２領域と第２シートの第１領域とが１枚のシート状に現れるので、第１の平面状態と切り替えて使用することにより、当月と共に常に翌月の日程が表示されるため使い勝手が良い。
【００１８】
請求項２記載の発明は、請求項１記載の発明の効果に加えて、第１シートと第２シートとの合体状態が安定するため、使用状態の信頼性が向上し、又これらを収納する収納ケースの形成が容易となる。
【００１９】
請求項３記載の発明は、請求項２記載の発明の効果に加えて、一方面にのみ日程を表示するカレンダーの必要枚数が低減するため、コスト的に有利となる。
【００２０】
請求項４記載の発明は、請求項２記載の発明の効果に加えて、両面に日程が表示されていたカレンダーに必要な枚数が低減するため、よりコスト的に有利となる。
【００２１】
【発明の実施の形態】
図１はこの発明の第１の実施の形態による卓上型カレンダーの外観形状を示す正面図である。
【００２２】
図を参照して、卓上型カレンダー１０は２ヶ月分の日程がその一方面に表示された６枚のシートを中心として構成され、これらのシートは、重ねた状態でプラスチック製等の収納ケース２７に出し入れ自在に収納されている。例えばその第１シート１１にあっては、１月分の日程が表示されている表示部１７ａと２月分の日程が表示されている表示部１７ｂとが並列状態に形成されている。この状態にあっては、１月の時点では２月の日程も確認でき、又、予定も書き込むことが可能となる。
【００２３】
図２は図１で示した卓上型カレンダーを構成する代表的な各シートの構成を示した図である。
【００２４】
図を参照して、その（１）にあっては１月分及び２月分の日程を表示する第１シート１１の構成が示されている。第１シート１１は矩形形状を有しており、その対向する第１端縁２１ａと第２端縁２２ａとに跨る分離領域１９ａによって第１領域１８ａ及び第２領域２０ａが形成されている。
【００２５】
第１領域１８ａには１月分の日程を表す表示部１７ａが表示され、第２領域２０ａには２月分の日程が表示される表示部１７ｂが各々形成されている。第２端縁２２ａの中央部から分離領域１９ａに向かって切込み２４ａが形成され、切込み２４ａは、分離領域１９ａの中央に位置する終点位置２５ａにおいてその切込みが停止している。尚、終点位置２５ａにおいて切込みの端が円形形状に切り抜かれているのは、切込み２４ａが終点位置２５ａを越えて第１端縁２１ａの方向に切込みが進行するのを防止するためである。
【００２６】
図２の（２）においては、３月分及び４月分の日程を表示する第２シート１３の構成が示されている。基本的な構成は上述の第１シート１１と同様であるが、切込みの位置が第１シート１１とは異なっている。すなわち、第２シート１３における切込み２４ｂは、第１端縁２１ｂから分離領域１９ｂに向かって形成されている。そして切込み２４ｂは分離領域１９ｂの中央に位置する終点位置２５ｂにおいてその切込みが停止している。
【００２７】
より詳細に言えば、切込み２４ｂは図２の（１）において二点鎖線で示されている延長線２３に相当する位置に形成されるものである。すなわち、延長線２３は、直線状に形成されている切込み２４ａを延長したとき終点位置２５ａと第１端縁２１ａとの間に形成される線である。これによって後述するように第１シート１１と第２シート１３との効果的な合体状態を確保することができる。
【００２８】
図２の（３）は５月分及び６月分の日程を表示した第３シート１５の構成を示したものである。この第３シート１５は図２の（１）で示した１月分及び２月分を表示する第１シート１１と同様の構成となるためここでの説明は繰り返さない。
【００２９】
図では表していないが、７月分及び８月分並びに１１月分及び１２月分を表示するシートは第２シート１３と同一構成であり、９月分及び１０月分を表示するシートは第１シート１１と同一の構成である。このようにして１月から１２月までを表示する６枚のシートが準備され、これらを重ね合わせた状態で収納ケース２７に収納されて使用される。
【００３０】
図３は、図１で示した卓上型カレンダー３０に対して２月時点となったときの使用状態を示す概略斜視図である。
【００３１】
図を参照して、１月が終了すると収納ケース２７から第１シート１１及び第２シート１３を取出す。そして、第１シート１１の切込み２４ａと第２シート１３の切込み２４ｂとを交差させるようにこれらを係合させる。すなわち第１シート１１の第１領域１８ａが第２シート１３の表示部１７ｃの裏側に来るようにし、第２シート１３の第２領域２０ｂが第１シート１１の第２領域２０ａの裏側に来るように配置して、矢印の方向にこれらを進行させる。そして第１シート１１の終点位置２５ａと第２シート１３の終点位置２５ｂとが当接状態となるまでこれらを進行させた後、第１シート１１及び第２シート１３を互いに重ね合わせた状態にして収納ケース２７に戻す。
【００３２】
図４はこの様にしてセットされた卓上型カレンダー３０の状態を示した正面図である。
【００３３】
図を参照して、図３の係合状態を経て収納ケース２７に収納されると、第１シート１１の第２領域２０ａと第２シート１３の第１領域１８ｂとが、１枚のシート状になった表面に現れることになる。すなわち、２月分の日程を表示する表示部１７ｂと３月分の日程を表示する表示部１７ｃが同時に表れることになる。切込み２４ｂは上述のように切込み２４ａの延長線に相当する位置に形成されているため、切込み２４ａと切込み２４ｂとは一直線上に整列し、第２領域２０ａと第１領域１８ｂとを均等に現し美観を損なうことが無い。
【００３４】
このようにして、２月になった時点で３月の日程も同時に確認できると共に予定等も書き加えることが可能となり、使い勝手が向上する。
【００３５】
以下同様にして当月分のみならず常に翌月分の日程も表示させることが可能となる。
【００３６】
図５はこの発明の第２の実施の形態による卓上型カレンダーの外観形状を示した正面図である。
【００３７】
この卓上型カレンダー１０にあっては、第１シート１１に表示される月毎の日程の表示部が先の実施の形態とは異なり縦方向に配列されている。すなわち第１シート１１は縦長の矩形形状を有しており、その両辺になる第１端縁２１ａと第１端縁２１ｂとに跨る分離領域１９ａによって上下の領域、すなわち第１領域１８ａと第２領域２０ａとが形成されている。第１領域１８ａには例えば１月分の日程が表示される表示部１７ａが形成され、第２領域２０ａには２月分の日程が表示される表示部１７ｂが形成されている。
【００３８】
そして第２端縁２２ｂから分離領域１９ａに向かって切込み２４ａが形成され、分離領域１９ａの中央位置にある終点位置２５ａにおいて切込み２４ａの切込みは停止している。３月分及び４月分の日程を表す表示部が形成されているシートは第１シート１１の裏面に配置されているが、そのシートには右側の端縁から分離領域の中央に向かって切込み２４ｂが形成されている。
【００３９】
このように構成することによって、先の第１の実施の形態と同様に１月分及び２月分を表示するシートと３月分及び４月分を表示するシートとを切込み２４ａ及び切込み２４ｂを介してこれらを係合させることによって、２月になった時点で３月分の日程を表示する表示部を２月分と共に表示させることが可能となる。
【００４０】
以下この実施の形態においても同様に、個々のシートを係合させることによって、常に翌月の日程を当月の日程と共に表示させることが可能となる。
【００４１】
図６はこの発明の第３の実施の形態による卓上型カレンダーのシート構成を示した図である。
【００４２】
図を参照して、その（１）に示されている第１シート１１は先の第１の実施の形態による第１シート１１と全く同一構成である。先の第１の実施の形態によれば２ヶ月分の日程は１枚のシートの一方面にのみ形成されているため、カレンダーとしては全体で６枚のシートを必要としていた。これに対しこの第３の実施の形態においては、１枚のシートの両面の各々に２ヶ月分の日程を表示しようとするものである。
【００４３】
具体的には、図６の（１）に示されているように、１月分及び２月分がその一方面に表示された第１シート１１の他方面に、７月分及び８月分の日程を表示するものである。ここで注意しなければならないのは、７月分の表示部１７ｇと８月分の表示部１７ｈとは、切込み２４ａに対して１月分の表示部１７ａと２月分の表示部１７ｂとに対して反転するように表示させる点である。このように構成することによって、図２の（３）で示した５月分及び６月分の日程を表示したシートと７月分及び８月分の日程を表示したシートとを適切に係合させることが可能となる。
【００４４】
尚、３月分及び４月分の日程を表示するシートは図２の（２）と同一であり、その反対面には９月分及び１０月分の日程が切込み２４ｂに対して反転するように表示されている。又、５月分及び６月分の日程の表示は図２の（３）と同一構成であり、その反対面に１１月分及び１２月分の日程が切込み２４ｃに対して反転するように表示されている。
【００４５】
このようにして、この実施の形態によれば、１月から１２月までの日程を表示するシートは合計３枚ですむことになり、よりカレンダーを構成するシート枚数を削減することが可能となる。
【００４６】
尚、上記の各実施の形態では、各シートに切込みが形成されているが、この切込みは幅の狭い切欠きを含むものであり、切欠きによっても同様の効果を奏するものである。
【００４７】
又、上記の各実施の形態では、切込みはシートの端縁から直角方向に形成され、分離領域の中央で停止しているが、端縁から斜めに形成されていても良く、又、分離領域の中央で停止していなくても良い。このような場合、一方のシートに係合する他方のシートにおける切込みが、一方のシートに形成された切込みの延長線の形状に相当するように形成されていれば、同様の効果を奏する。
【００４８】
更に、上記の各実施の形態では、分離領域によって第１領域と第２領域とが均等に形成されているが、これらの領域は必ずしも均等でなくても良い。また、それぞれの領域に形成される表示部の大きさも必ずしも同一でなくても良い。
【００４９】
更に、上記の各実施の形態では、シートは矩形形状をしているが、例えば楕円形状のような他の形状であっても同様に適用でき、同様の効果を奏する。
【００５０】
更に、上記の各実施の形態では、１月及び２月をスタートとしてこれらの日程を同一シートに表示しているが、前年度の１２月の日程と新年度の１月の日程とを同一シートに表示するように構成しても良い事は言うまでもない。
【００５１】
更に、上記の各実施の形態では、切込みの終点位置における円形の切抜きを形成しているが、これは必ずしも必要なものではない。
【図面の簡単な説明】
【図１】この発明の第１の実施の形態による卓上型カレンダーの外観構成を示した正面図である。
【図２】図１で示した卓上型カレンダーを構成する代表的なシートの概略構成を示した図である。
【図３】図１で示した卓上型カレンダーの使用状態を説明するための概略斜視図である。
【図４】図３で示したシート同士の係合によって現れる表示状態を示した正面図である。
【図５】この発明の第２の実施の形態による卓上型カレンダーの外観形状を示した正面図である。
【図６】この発明の第３の実施の形態による卓上型カレンダーのシート構成の一部を示した図である。
【図７】従来の卓上型カレンダーの外観形状を示した正面図である。
【図８】図７で示した卓上型カレンダーの使用状態を説明するための概略側面図である。
【符号の説明】
１０…卓上型カレンダー
１１…第１シート
１３…第２シート
１７…表示部
１８…第１領域
１９…分離領域
２０…第２領域
２１…第１端縁
２２…第２端縁
２３…延長線
２４…切込み
尚、各図中同一符号は同一又は相当部分を示す。
【図１】
0003658559.tif 000002
【図２】
0003658559.tif 000003
【図３】
0003658559.tif 000004
【図４】
0003658559.tif 000005
【図５】
0003658559.tif 000006
【図６】
0003658559.tif 000007
【図７】
0003658559.tif 000008
【図８】
0003658559.tif 000009